(57)【要約】【課題】革ベルトの先端部分が犬の首の後側を刺激することにより、犬が引っ張ることを躊躇するようにした犬のチェーンつき首輪であり、犬の首を絞めすぎることがなく、しかも犬のしつけを可能として、上記の問題点を解決した犬のチェーンつき首輪を提供しようとするものである。【解決手段】革ベルト部分とチェーン部分との着脱を容易にした犬のチェーンつき首輪において、前記革ベルトに長尺の平スプリング材と、その内側によりも短い短尺の平スプリング材とを内蔵させ、チェーン部分に連結したリードを引っ張った際に、チェーン部分を牽引して革ベルトを締め付け、それに伴って長尺の平スプリング材が短尺の平スプリング材の端部において屈曲してその先端部分が犬の首の後側を刺激することにより、犬が引っ張ることを躊躇するようにしたことを特徴とする犬のチェーンつき首輪。【選択図】  図１
2008054515.tif 000002
【特許請求の範囲】
【請求項１】
犬の首の前側に掛ける革ベルトの両端に金属製のリングを取り付け、犬の首の後側に通すチェーン部分にリングとナスカン等の掛止金具を取り付けて、革ベルト部分とチェーン部分との着脱を容易にした犬のチェーンつき首輪において、前記革ベルトに革ベルトの長さに近い長尺の平スプリング材と、長尺の平スプリング材の内側に長尺の平スプリング材よりも短い短尺の平スプリング材とを内蔵させ、チェーン部分に連結したリードを引っ張った際に、チェーン部分を牽引して革ベルトを締め付け、それに伴って長尺の平スプリング材が短尺の平スプリング材の端部において屈曲してその先端部分が犬の首の後側を刺激することにより、犬が引っ張ることを躊躇するようにしたことを特徴とする犬のチェーンつき首輪。
【請求項２】
長尺の平スプリング材および短尺の平スプリング材は、犬の首を絞めすぎない程度の所定の剛性を有していることを特徴とする請求項１に記載された犬のチェーンつき首輪。
【請求項３】
革ベルトが、長尺の平スプリング材および短尺の平スプリング材の内側に、低反発衝撃吸収材と軟質弾性材からなる衝撃吸収手段を内蔵していることを特徴とする請求項１または２に記載された犬のチェーンつき首輪。
【発明の詳細な説明】
【技術分野】
【０００１】
この発明は、犬のしつけ等に用いる犬のチェーンつき首輪に関するものである。
【背景技術】
【０００２】
従来の犬のチェーンつき首輪としては、特開２００２−１１０公報（特許文献１参照）のように、首輪本体の両端部分を離して開口状態とし、該両端部に鎖挿通用リング体を付設するとともに該リング体に締付用緩衝鎖を挿し通した後に緩衝鎖両端を結合し、首輪本体の開口部分に緩衝鎖の一部が位置して遊びを有する首輪が形成されるように設け、緩衝鎖に係止した紐体が引っ張られた状態において首輪本体の両端部分が狭まって接し合い、犬の首輪を瞬間的に遊び分だけ締め付ける構成としたものや、
登録実用新案第３０９２９５３号公報（特許文献２参照）のように、一対のリングを革ベルト部分の両端に取れないようにそれぞれ縫着し、チェーン部分の一方の端にはリード連結用リングを、もう一方にはナスカンと呼ばれる掛止金具を取り付け、そのチェーン部分をナスカンの方向からリード連結用リングの間を通し、ナスカンをリングに装着した上、リード連結用リングと犬の散歩用リードとを着脱可能としたものが知られている。
【０００３】
また、スプリングを内蔵した犬の首輪としては、特開２００３−２９９４２１公報（特許文献３参照）のように、首輪の輪状のところに、スプリングや金属や樹脂などの構造材を装備し、首輪が外部からの力によって、その輪状が容易に変形しないようにしたものが知られている。
【特許文献１】特開２００２−１１０公報
【特許文献２】登録実用新案第３０９２９５３号公報
【特許文献３】特開２００３−２９９４２１公報
【発明の開示】
【発明が解決しようとする課題】
【０００４】
しなしながら、前記特許文献１および２の先行技術においては、革ベルトからなる首輪本体の両端に取り付けたリングにチェーンを挿通した上、チェーンにリードを連結したものとなっており、リードを牽引して首輪本体の両側が狭まることによって飼い主の意志である締め付けがなされ、犬がむやみに引っ張らないようにしてしつけを施すようになっている。
【０００５】
また、前記引用文献３の先行技術においては、首輪の輪状のところに、スプリングや金属や樹脂などの構造材を装備し、首輪が外部からの力によって、その輪状が容易に変形しないようにしたものであるが、これは一般の革ベルト製の首輪本体と変わらず、あまり犬の首を絞めすぎないようにするためのものであって、しつけの面では何ら考慮されていないものである。
【０００６】
この発明は、革ベルトの先端部分が犬の首の後側を刺激することにより、犬が引っ張ることを躊躇するようにした犬のチェーンつき首輪であり、犬の首を絞めすぎることがなく、しかも犬のしつけを可能として、上記の問題点を解決した犬のチェーンつき首輪を提供しようとするものである。
【課題を解決するための手段】
【０００７】
この発明の犬のチェーンつき首輪は、犬の首の前側に掛ける革ベルトの両端に金属製のリングを取り付け、犬の首の後側に通すチェーン部分にリングとナスカン等の掛止金具を取り付けて、革ベルト部分とチェーン部分との着脱を容易にした犬のチェーンつき首輪において、前記革ベルトに革ベルトの長さに近い長尺の平スプリング材と、長尺の平スプリング材の内側に長尺の平スプリング材よりも短い短尺の平スプリング材とを内蔵させ、チェーン部分に連結したリードを引っ張った際に、チェーン部分を牽引して革ベルトを締め付け、それに伴って長尺の平スプリング材が短尺の平スプリング材の端部において屈曲してその先端部分が犬の首の後側を刺激することにより、犬が引っ張ることを躊躇するようにしたことを特徴とするものである。
【０００８】
この発明の犬のチェーンつき首輪は、前記長尺の平スプリング材および短尺の平スプリング材は、犬の首を絞めすぎない程度の所定の剛性を有していることをも特徴とするものである。
【０００９】
この発明の犬のチェーンつき首輪は、前記革ベルトが、長尺の平スプリング材および短尺の平スプリング材の内側に、低反発衝撃吸収材と軟質弾性材からなる衝撃吸収手段を内蔵していることをも特徴とするものである。
【発明の効果】
【００１０】
上述のように、この発明のチェーンつき首輪は、革ベルトに平スプリングを内蔵させて犬の首を絞めすぎないようにしてペットの愛護を確保するだけでなく、一対の平スプリングの長さを違えて長尺の平スプリング材を短尺の平スプリング材の端部において屈曲させ、長尺の平スプリング材の先端部分が犬の首の後側を刺激することにより、犬が引っ張ることを躊躇するようにして、従来のチェーンつき首輪と同様の犬のしつけ用首輪としての機能をも持たせたものである。
もちろん、しつけ用としての用途しか持たなかった従来の犬のチェーン付き首輪に、通常の状態でも犬に負担を強いることなく、犬に装着したままでいられることから、多機能であって非常に便利である。
【発明を実施するための最良の形態】
【００１１】
以下この発明の犬のチェーンつき首輪の実施の形態を図面に基いて詳細に説明する。
図１はこの発明の犬のチェーンつき首輪の１実施例を示す概略断面図、図２は革ベルトに内蔵される平スプリングや衝撃吸収材の分解図、図３はリードを牽引する前のスプリング等の状態を示す概略説明図、図４はリードを牽引した後のスプリング等の状態を示す概略説明図である。
【００１２】
図１および図２の実施例において示されるこの発明の犬のチェーンつき首輪は、犬の首の前側に掛ける革ベルト１１と、革ベルト１１の両端に金属製のリング１２，１２’を取り付け、金属製のリング１２，１２’に挿通した上、犬の首の後側に通すチェーン１３部分の両端にそれぞれリング１４とナスカン等の掛止金具１５を取り付けて、革ベルト１１部分とチェーン１３部分との着脱を容易にした犬のチェーンつき首輪である。
前記金属製のリング１２，１２’は、革ベルト１１部分の両端において、犬の引っ張りによる強度の負荷がかかっても取れないように、厳重に縫着されている。
【００１３】
そして、前記犬のチェーンつき首輪において、前記革ベルト１１には、革ベルト１１の長さに近い長尺の平スプリング材２１と、長尺の平スプリング材２１の内側に長尺の平スプリング材２１よりも短い短尺の平スプリング材２２とを内蔵させている。
チェーン１３部分の端部のリング１４に連結したリード１６を引っ張った際には、図３に示す状態から図４に示す状態となって、チェーン１３部分を牽引して革ベルト１１が円弧状を保ったまま締め付けられ、それに伴って長尺の平スプリング材２１が短尺の平スプリング材２２の端部において屈曲し、長尺の平スプリング材２１の先端部分が犬の首３１の後側を刺激することとなる。
【００１４】
前記革ベルト１１に内蔵させる前記長尺の平スプリング材２１および短尺の平スプリング材２２は、犬の首３１を絞めすぎない程度の所定の剛性を有していることが望ましい。このような素材としては、弾性を備えたプラスチック素材、たとえばアイオノマー樹脂やエンジニアリングプラスチック類、弾性を有する燐青銅等の金属素材が好適に使用できる。
【００１５】
また、前記革ベルト１１内には、前記長尺の平スプリング材２１および短尺の平スプリング材２２の内側に、低反発衝撃吸収材２３と軟質弾性材２４からなる衝撃吸収手段を内蔵させることが望ましい。
低反発衝撃吸収材２３としては低反発ウレタンが、軟質弾性材２４としては高発泡ウレタン等が好適である。このように前記革ベルト１１内に低反発衝撃吸収材２３と軟質弾性材２４からなる衝撃吸収手段を内蔵させることにより、前記平スプリング材２１，２２の剛性によって犬の首３１を締め付けすぎることを防止するとともに、犬が過度に引っ張っても衝撃吸収手段で犬の首３１（のどの部分）に負荷が集中することを防ぎ、犬に締付による首の圧迫や呼吸困難に陥らせることがなくなる。
【００１６】
次にこの発明の犬のチェーンつき首輪の使用態様について説明する。
図１のように、革ベルト１１部分の両端に取り付けられた金属製のリング１２，１２’の間に、ナスカン等の掛止金具１５からチェーン１３部分をリング１２，１２’両方に通し、その後チェーン１３部分端部のリング１４に掛止金具１５を係着する。
その際、革ベルト１１部分が犬の首３１の前方を向き、チェーン１３部分が犬の首３１の後方を向くことと、さらにチェーン１３部分のリング１４が犬の散歩用リード１６との接合・着脱部として機能することで、チェーンつき首輪として利用できる。掛止金具１５をリング１４からはずすことにより簡単に外すことも可能である。
【００１７】
犬のしつけに際しては、犬が過度に引っ張ったときにチェーン１３部分端部のリング１４に連結したリード１６を引っ張ると、図３に示す状態から図４に示す状態となって、チェーン１３部分を牽引して革ベルト１１が円弧状を保ったまま小径になるよう締め付けられ、それに伴って長尺の平スプリング材２１が短尺の平スプリング材２２の端部において屈曲し、長尺の平スプリング材２１の先端部分が犬の首３１の後側を刺激することとなる。この刺激により、犬が引っ張ることを躊躇するようになり、犬に締付による首の圧迫や呼吸困難に陥らせることがなく、しかも極度に引っ張ることのないようにして犬にしつけを与えることができるのである。
【産業上の利用可能性】
【００１８】
上述のように、この発明のチェーンつき首輪は、従来のチェーンつき首輪としての犬のしつけ機能を持つことはもちろんのこと、犬の首３１の締め付けすぎを防止するとともに、犬が過度に引っ張っても衝撃吸収手段で犬の首３１（のどの部分）に負荷が集中することを防ぎ、犬に締付による首の圧迫や呼吸困難に陥らせることがない。
したがって従来、しつけ用としての用途しか持たなかった犬のチェーン付き首輪に、通常の状態でも犬につけたままでいられることから、ファッションの要素も取り入れることが可能となった。これは、革ベルト部分の色や模様などの組み合わせパターンによって実現できる。
【図面の簡単な説明】
【００１９】
【図１】この発明の犬のチェーンつき首輪の１実施例を示す概略断面図である。
【図２】革ベルトに内蔵される平スプリングや衝撃吸収材の分解図である。
【図３】リードを牽引する前のスプリング等の状態を示す概略説明図である。
【図４】リードを牽引した後のスプリング等の状態を示す概略説明図である。
【符号の説明】
【００２０】
１１  革ベルト１１
１２，１２’  金属製のリング
１３  チェーン
１４  リング
１５  掛止金具
１６  リード
２１  長尺の平スプリング材
２２  短尺の平スプリング材
２３  低反発衝撃吸収材
２４  軟質弾性材
３１  犬の首
【図１】
2008054515.tif 000003
【図２】
2008054515.tif 000004
【図３】
2008054515.tif 000005
【図４】
2008054515.tif 000006